【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
一対の電極と、前記一対の電極の間に配置されているエレクトロクロミック層とを有するエレクトロクロミック素子であって、
前記エレクトロクロミック素子の透過率調整を行う制御手段を有し、
前記制御手段は、前記エレクトロクロミック素子の透過率変化を飽和させる手段Ａと、前記手段Ａの後に続いて、透過率を制御する手段Ｂを含むことを特徴とするエレクトロクロミック素子。
【請求項２】
前記手段Ａは、電圧Ｖ１を印加して前記素子の透過率変化を飽和させる手段であり、
前記手段Ｂは、手段Ａの後に続いて、着色電圧Ｖ２を印加する手段であることを特徴とする請求項１に記載のエレクトロクロミック素子。
【請求項３】
前記電圧Ｖ１が前記エレクトロクロミック層に含まれるエレクトロクロミック材料の還元電圧以下である場合は、電圧Ｖ１よりも高く酸化電圧以上である電圧Ｖ２を印加し、
前記電圧Ｖ１が前記エレクトロクロミック層に含まれるエレクトロクロミック材料の酸化電圧以上である場合は、電圧Ｖ１よりも低く還元電圧以下である電圧Ｖ２を印加し、
前記手段Ｂは、時間Ｔ１の間、前記素子を含む閉回路中に抵抗Ｒ１を直列に接続する工程２と、時間Ｔ２の間、前記素子を含む閉回路中に前記抵抗Ｒ１よりも大きな抵抗Ｒ２を直列に接続し、回路電流を減少させる工程３と、を有し、
前記手段Ｂを実行している間は工程２および工程３は交互に連続して繰り返されることを特徴とする請求項２に記載のエレクトロクロミック素子。
【請求項４】
前記Ｖ１が前記エレクトロクロミック層に含まれるエレクトロクロミック材料の酸化電圧以下である場合は、電圧Ｖ１よりも高く還元電圧以上である電圧Ｖ２を印加し、
前記Ｖ１が前記エレクトロクロミック層に含まれるエレクトロクロミック材料の還元電圧以上である場合は、電圧Ｖ１よりも低く酸化電圧以下である電圧Ｖ２を印加し、
前記手段Ｂは、時間Ｔ１の間、前記素子を含む閉回路中に抵抗Ｒ１を直列に接続する工程２と、時間Ｔ２の間、前記素子を含む閉回路中に前記抵抗Ｒ１よりも大きな抵抗Ｒ２を直列に接続し、回路電流を減少させる工程３と、を有し、
前記手段Ｂを実行している間は工程２および工程３は交互に連続して繰り返されることを特徴とする請求項２に記載のエレクトロクロミック素子。
【請求項５】
前記手段Ｂは、前記工程２が行われる時間Ｔ１、および前記工程３が行われる時間Ｔ２の和（Ｔ１＋Ｔ２）を一定とし、Ｔ１を変化させて前記素子の透過率調整を行うことを特徴とする請求項３または４に記載のエレクトロクロミック素子。
【請求項６】
前記時間（Ｔ１＋Ｔ２）は１００ミリ秒以下であるであることを特徴とする請求項５に記載のエレクトロクロミック素子。
【請求項７】
前記エレクトロクロミック材料は複数の種類からなり、前記Ｖ１および前記Ｖ２の値は、前記複数のエレクトロクロミック材料のうちの最も高い酸化電位以上または最も低い還元電位以下の値であることを特徴とする請求項３乃至６のいずれか一項に記載のエレクトロクロミック素子。
【請求項８】
複数種の有機エレクトロクロミック材料を有し、
前記複数種の有機エレクトロクロミック材料のうちの少なくとも１種は、他の前記有機エレクトロクロミック材料と光の吸収ピークが異なることを特徴とする請求項１乃至６のいずれか一項に記載のエレクトロクロミック素子。
【請求項９】
複数種の有機エレクトロクロミック材料を有し、
前記複数種の有機エレクトロクロミック材料のうちの少なくとも１種は、波長４４０ｎｍ以上４９０ｎｍの範囲または波長５４０ｎｍ以上６３０ｎｍ以下の範囲のいずれかに光の吸収ピークを有することを特徴とする請求項１乃至７のいずれか一項に記載のエレクトロクロミック素子。
【請求項１０】
前記有機エレクトロクロミック材料の少なくとも一つは、下記構造式で示される化合物（１）乃至（４）から選ばれることを特徴とする請求項１乃至８のいずれか一項に記載のエレクトロクロミック素子。
【化１】
2015014784.tif 000001
【化２】
2015014784.tif 000002
【化３】
2015014784.tif 000003
【化４】
2015014784.tif 000004
【請求項１１】
一対の電極と、前記一対の電極の間に配置されているエレクトロクロミック層とを有するエレクトロクロミック素子の駆動方法であって、
前記エレクトロクロミック素子の透過率調整を行う制御工程を有し、前記制御工程は、前記エレクトロクロミック素子の透過率変化を飽和させる工程Ａと、工程Ａの後に続いて透過率を制御する工程Ｂを含むことを特徴とするエレクトロクロミック素子の駆動方法。
【請求項１２】
前記工程Ａは、電圧Ｖ１を印加して前記素子の透過率変化を飽和させる工程１からなり、
前記工程Ｂは、工程Ａの後に続いて、前記Ｖ１が再還元電圧以下である場合は、電圧Ｖ１よりも高く酸化電圧以上である電圧Ｖ２を印加し、あるいは前記電圧Ｖ１が酸化電圧以上である場合は、電圧Ｖ１よりも低く再還元電圧以下である電圧Ｖ２を印加し、
時間Ｔ１の間、前記素子を含む閉回路中に抵抗Ｒ１を直列に接続する工程２と、
時間Ｔ２の間、前記素子を含む閉回路中に前記抵抗Ｒ１よりも大きな抵抗Ｒ２を直列に接続し、回路電流を減少させる工程３と、からなり、
前記工程Ｂを実行している間は工程２および工程３は交互に連続して繰り返されることを特徴とする請求項１１に記載のエレクトロクロミック素子の駆動方法。
【請求項１３】
前記工程Ａは、電圧Ｖ１を印加して前記素子の透過率変化を飽和させ初期状態とする工程１からなり、
前記工程Ｂは、工程Ａの後に続いて、前記電圧Ｖ１が再酸化電圧以下である場合は、電圧Ｖ１よりも高く還元電圧以上である電圧Ｖ２を印加し、あるいは前記Ｖ１が還元電圧以上である場合は、電圧Ｖ１よりも低く再酸化電圧以下である電圧Ｖ２を印加し、
時間Ｔ１の間、前記素子を含む閉回路中に抵抗Ｒ１を直列に接続する工程２と、
時間Ｔ２の間、前記素子を含む閉回路中に前記抵抗Ｒ１よりも大きな抵抗Ｒ２を直列に接続し、回路電流を減少させる工程３と、からなり、
前記工程Ｂを実行している間は工程２および工程３は交互に連続して繰り返されることを特徴とする請求項１１に記載のエレクトロクロミック素子の駆動方法。
【請求項１４】
前記工程Ｂは、前記工程２が行われる時間Ｔ１、および前記工程３が行われる時間Ｔ２の和（Ｔ１＋Ｔ２）を一定とし、Ｔ１を変化させて前記素子の透過率調整を行うことを特徴とする請求項１２または１３に記載のエレクトロクロミック素子の駆動方法。
【請求項１５】
請求項１乃至１０のいずれか一項に記載のエレクトロクロミック素子を有することを特徴とする光学フィルタ。
【請求項１６】
請求項１５に記載の光学フィルタと、前記光学フィルタを通過した光を受光する受光素子とを有することを特徴とする撮像装置。
【請求項１７】
複数のレンズを有する光学系と、請求項１５に記載の光学フィルタとを有するレンズユニットであって、前記光学フィルタを通過した光が前記光学系を通過するように配置されていることを特徴とするレンズユニット。
【請求項１８】
複数のレンズを有する光学系と、請求項１５に記載の光学フィルタとを有するレンズユニットであって、前記光学系を通過した光が前記光学フィルタを通過するように配置されていることを特徴とするレンズユニット。
【請求項１９】
請求項１乃至１０のいずれか一項に記載のエレクトロクロミック素子の駆動装置と、前記駆動装置に駆動電圧を供給するための回路を有することを特徴とする窓材。
【手続補正２】
【補正対象書類名】明細書
【補正対象項目名】発明の名称
【補正方法】変更
【補正の内容】
【発明の名称】エレクトロクロミック素子、その駆動方法、光学フィルタ、撮像装置、レンズユニットおよび窓材